(57)【要約】［課題］  単一の紙面１内に設けられた枠欄４内に各欄５、６、７、８、９、１０、１１、１２を形成し、これら欄５、６、７、８、９、１０、１１、１２を記載内容別に淡色で色分けし、コーナーシール１４を設けることで、障害を有する高齢者の使用の便宜を図る。［解決手段］  単一の紙面１に縦仕切線２と横仕切線３とを交叉させて横７列の枠欄４を形成している。枠欄４には日及び日の吉兆欄５、天気及び体調記載欄７、書き込み用空欄１１等を設け、各欄は記入した文字が視認可能に各欄別に異なる淡色で着色し、色分けされている。紙面１には、発体塗料４で注意を喚起する表示１３を記している。紙面１の右下角部には、チップ部１４ｂを具備したコーナーシール１４が取り付けられている。【選択図】  図１
2005059570.tif 000002
【特許請求の範囲】
【請求項１】
単一の紙面内に縦横に仕切線を設け、該仕切線で囲まれた枠欄が７曜に対応して配設され、前記各枠欄には枠欄の配列に従って日及び日の吉兆欄等を夫々記入し、且つ書き込み用空欄を設けてなる生活記録用カレンダーにおいて、
前記各枠欄には薬の服用チェック欄と、通院病院の記入欄と、確認事項表示部が夫々設けられ、前記薬の服用チェック欄と通院病院の記入欄と確認事項表示欄又は／及び書き込み用空欄のうち記載内容が共通する欄は、記載内容が使用者に明暸に視認可能に同一淡色で着色され、前記紙面には発光塗料で注意を喚起する表示を記したことを特徴とする生活記録用カレンダー。
【請求項２】
上記紙面の偶角部にコーナーシールを設けたことを特徴とする請求項１記載の生活記録用カレンダー。
【請求項３】
上記各枠欄の下部には、該枠欄の横幅と対応した横幅を有する紙片を上記紙面より剥離可能に取り付けたことを特徴とする請求項１又は２記載の生活記録用カレンダー。
【発明の詳細な説明】
【技術分野】
【０００１】  本発明は、介護予定や生活記録を記入する等のために用いる生活記録用カレンダーであって、詳しくは高齢者や身体障害者がその日になすべきことや出来事を忘却防止のために自ら記入し、或いはその日になすべき事柄を忘却していても喚起するようにした生活記録用カレンダーに関する。
【背景技術】
【０００２】  従来、書込み可能なカレンダーとしては、１ヶ月１シートのダブルシールを使用し、シール部分に使用者が必要事項を記入し、剥離したシールは別に設けた専用ノートの所定位置に貼着することで繰り返し復習可能な専用ノートとペアで使用する学習用カレンダー（例えば、実用新案文献１参照）や、単一の紙面に縦横の仕切線で囲まれた枠欄が７曜に対応して配設され、前記枠欄に日及び日の吉兆を格別に記入され書き込みスペースを備えたカレンダー表示部を上半部に、クーポン券表示部を下半部に設けたもの（例えば、実用新案文献２参照や、１緑を綴じて冊子状とし、空所を有する日付欄を設けたカレンダー部と、空所に貼着可能なシールとよりなるカレンダー（例えば、実用新案文献３参照）が存在する。
カレンダーの表示部の内容別に異なる色彩を施こし、同一着色部分は同一内容を表示しているようにしたカレンダーには、月単位で表示した１２枚のカレンダー片を重合し、これらカレンダー片の横幅よりも著しく大なる台紙に冊子状に綴じ、カレンダー片の土曜日、日曜日及び祝日の日は平日とは異なる色彩で記し、台紙の表側に露呈している部分には写真や葉書の差し込みを設けたものが存在する（例えば、実用新案文献４参照）。又、単一の紙面縦横に仕切線を設け、一方向を７曜に分けて列状にし、書き込み可能なスペースを有する枠欄を形成し、日曜日欄は全体を淡いピンクに、士曜日欄は全体を淡いブルーに着色したものや（例えば、非特許文献１参照）、単一の紙面に１２ヶ月のカレンダーを上半部に設け、下半分には分類されるごみの説明欄を設け、ごみの説明欄で着色表示された色と同一色をごみ収集日が着色されたごみカレンダー（例えば、非特許文献２参照）が提案されている。
【実用新案文献１】
実用新案登録第３０６７３０４号の登録実用新案公報
【実用新案文献２】
実用新案登録第３０７８４５３号の登録実用新案公報
【実用新案文献３】
実開平３−４０６７号公報
【実用新案文献４】
実用新案登録第３０２６５９０号の登録実用新案公報
【非特許文献１】  （株）朝日パル製作、凸版印刷（株）印刷、朝日新聞販売所が朝日新聞定期購読者に配布する月単位のカレンダー
【非特許文献２】  松山市清掃課発行のごみカレンダー（２００３年４月１日〜２００４年３月３１日）
【発明の開示】
【発明が解決しようとする課題】
【０００３】  上記背景技術で述べた実用新案文献１記載のカレンダーであると、カレンダーとノートの双方を保有しなけらばならず、いずれか一方を紛失すると機能せず、使用方法が煩雑で、高齢者には不向きであるという問題点があった。又、実用新案文献２記載のカレンダーのクーポン券表示部を介護内容表示部に置換してみると、紙面下半部に表示された内容と紙面上半部に表示された日との関連性が無く、仮に紙面下半部に特定日の特定内容が記載されていたとしても記載内容をカレンダーと照合する手間を要し、カレンダーの長さが長くなるか又は記載される字の大きさが小さくなり、老視の著しく進行した高齢者にとって視認困難で不便性が増すのみとなり、紙面下半部は殆ど利用されない無駄なスペースとなるという問題点があった。又、実用新案文献３及び４記載のカレンダーは、冊子状に綴じて形成され、壁面に吊設して使用するものであるため、足腰の弱い高齢者はカレンダーを見るために立ち上がらなければならず、身体への負担が大きいという問題点があった。又、非特許文献１及び２記載のカレンダーは、内容別に色分けしているため、使用者は色彩の意味する内容で直ちにその日が何であるか何をすべきかを認識できるという長所があるが、高齢者の生命にも係わる服薬、病院に関する事項や、火災等の災害にも直結する重大事項に関する注意を喚起する手段を有していないため、高齢者や身体障害者の日毎の生活管理には不向きであるという問題点があった。
本願発明は、上記諸事情に鑑みて創案されたものである。
【課題を解決するための手段】
【０００４】  本願発明の請求項１記載の発明は、単一の紙面内に縦横に仕切線を設け、該仕切線で囲まれた枠欄が７曜に対応して配設され、前記各枠欄には枠欄の配列に従って日及び日の吉兆欄等を夫々記入し、且つ書き込み用空欄を設けてなる生活記録用カレンダーにおいて、前記各枠欄には薬の服用チェック欄と、通院病院の記入欄と、確認事項表示部が夫々設けられ、前記薬の服用チェック欄と通院病院の記入欄と確認事項表示欄又は／及び書き込み用空欄のうち記載内容が共通する欄は、記載内容が使用者に明瞭に視認可能に同一淡色で着色され、前記紙面には発光塗料で注意を喚起する表示を記したことを特徴とする。
請求項２記載の発明は、紙面の隅角部にコーナーシールを設けたことを待徴とする。
請求項３記載の発明は、各枠欄の下半部には、該枠欄の横幅と対応した横幅を有する紙片を剥離可能に取り付けたことを特徴とする。
【発明の効果】
【０００５】  本発明は、枠欄内のチェック欄、記入欄、確認事項表示欄等のうち共通する欄には記載内容が明暸に視認可能に同一淡色で着色されているため、記載箇所を探す手間が省け、又、記載内容を熟読しなくても着色された色彩により一定の情報を得ることができるという効果がある。
高齢者の生命に係わる服薬チェック欄や通院病院記入欄等を枠欄内に経時的に記載しているので、服薬等の忘却や２度服薬をすることがなく、自己管理でき、高齢者の生活を自立させる効果がある。
枠欄下部に紙片を貼着しているので、書き込み用空欄の面積が広くなり、老視が著しく進行して視力が低下した高齢者が太線のペンで記入可能なスペースを確保でき、又、紙面より剥離し展開された紙片を手に持ち、各場所に移動しながら紙片に記載された確認事項を一つ一つ確認でき、確認漏れがないという効果がある。
紙面に発光塗料で注意を喚起する表示をしているので、消灯後においても暗闇の寝室内で表示が発光し、忘却していたことを喚起させ、例えば、戸締やガス栓の閉め忘れ等の忘却により生じる事故を未然に防止し得るという効果がある。
【発明を実施するための最良の形態】
【実施例１】
【０００６】  図１〜図３を参照にして実施例１を説明する。図１は本発明生活記録用カレンダーの実施例１の表面図、図２は枠欄とコーナーシールを示す一部切欠拡大表面図、図３は使用状態を示す説明図である。これらの図において、横長な紙面１の表面には平行な複数本の縦仕切線２と、平行な複数本の横仕切線３とを直角に交叉させ、縦仕切線２と横仕切線３とで囲まれた縦長な方形状の枠欄４を横方向に７列連続して配設するように形成している。枠欄４のうち最も上部に位置する枠欄４の上方外側には、各列の曜日を明示するために日曜日から土曜日までの７曜を夫々各列毎に、日曜日は赤色、土曜日は青色、平日は黒色で記している。枠欄４には、曜日に対応して日及び日の吉兆欄５を左上隅部に配設し、天気及び体調記載欄６を右上隅部に配設している。日及び日の吉兆欄５には、日を表示する数字が日曜日は赤色で、土曜日は青色で、平日は黒色で記されており、日の吉兆を表示する文字は大安に限定して赤色で記されている。天気及び体調記載欄６は、天気についてはカッコを設けカッコ内に記入する方式を、体調記載欄については体調を良、善、悪の３段階に分け、該当する文字を丸印で囲む方式を採用し、使用者の便宜を図っている。日及び日の吉兆欄５は日を表示する数字及び日の吉兆を表示する文字が明瞭に視認可能に平日は全体を青色で、休日は淡赤色で、土曜日は淡黄色で着色され、天気及び体調記載欄６は文字を明瞭に視認可能に全体を土曜日の日及び日の吉兆欄５の淡黄色より僅かばかり濃い淡黄色で着色され、且つ日及び日の吉兆欄５と天気及び体調記載欄６の着色下端縁が横方向に一直線上に揃うようにしている。日及び日の吉兆欄５と天気及び体調記載欄６と隣接して下方には、薬の服用チェック欄７が配設されている。薬の服用チェック７は項目に薬と記し、左から右方向へ朝、昼、夜と経時的に服薬時を記載し、服薬後は該当する文字を丸印で囲むようにしている。各文字の右横には四角枠を設け、この四角枠内に食間服薬に関する事項を記入するようにしている。服薬毎に朝、昼、夜の各文字を丸印で囲ったり、四角枠内にチェックを記入すると、服薬忘れや２度服薬という事態が生じない。夜の文字の表示の右横にはカッコを記し、カッコ内に例えば睡眠薬や便秘薬等の就寝前に服薬する薬剤名を記入する等する。薬の服用チェック欄７は、文字を明瞭に視覚を通じて確認可能に全体を淡橙色で着色されている。薬の服用チェック欄７の下側には、その日に通院した病院名を記入するための通院病院の記入欄８と、ヘルパー名や介護内容等を記入する介護記入欄９と、連絡、約束、買物等の日常生活におけるメモ欄１０を上から下に向って順次列記している。このように列記順序を設定したのは、通常、人は上から下へ、左から右へ文字や数字を読む傾向があることを利用し、高齢者等にとって重要な事項順に列記したのである。メモ欄１０の下方には書き込み用空欄１１を設けている。書き込み用空欄１１は全体を、平日は着色せず紙面の地色を用い、前記日及び日の吉兆欄５の日曜日と土曜日の着色と同様に、日曜日は記入した文字を明暸に視認可能な淡赤色で、土曜日は淡黄色で着色されている。枠欄４の下部には確認事項表示欄１２を設けている。確認事項表示欄１２は���四角枠内に赤色で安全と確認の文字を記し、濃青色で確認の項目と、電気・ガス・水道・戸締・ごみ・お金・洗濯物・コンセント・タバコ・ストーブ等の文字を列記し、これらの文字が明暸に視認可能に全体を淡青色で着色している。確認事項表示欄１２を枠欄４内で最も下部に位置させたのは、外出する機会や気力、体力の無い高齢者が、１日の終わりである就寝前に例えば火災、強盗、住居不法侵入等の被害を未然に防止する理由からである。枠欄４のうち必要日数より余った各枠欄４１にはその月の前後各１ヶ月分のカレンダーを記入し、当該月のカレンダーについては全体を着色して枠欄４に記入した日を使用者に知らしめるようにしている。例えば、実施例１は平成１５年度７月の１〜１５日のカレンダーであるが、余った各枠欄４１には６月、７月、８月のカレンダーを夫々記し、７月のカレンダーのうちｌ〜１５日の夫々の日は、日及び日の吉兆欄５に施している色と同一色彩で着色する。つまり、平日は青色を着色し、日曜日は淡赤色を、土曜日は淡黄色に着色して、紙面１の各枠欄４と対応する日を極めて容易に照合可能にしている。実施例１では半月のカレンダーを表示しているが、１ヶ月分或いは複数月のカレンダーを表示する場合も本願発明に含まれる。
紙面１の表面には、発光塗料で注意を喚起する表示１３を記している。実施例１では、発光塗料で注と記している。発光塗料で注意を喚起する表示１３は、注等の文字、記号等でなくてもよく、紙面１の表面周縁に発光塗料を塗着する等であってもよい。発光塗料は蛍光体やリン光体を用いて暗所で発光する性質を有するため、使用者が就寝のための消灯後、カレンダーを見ると発光塗料で記された注意を喚起する表示１３が発光する。使用者は忘却していた事柄を再び思い出すために、つまり、カレンダーの確認事項表示欄１２等を見るために再び点灯し、再確認して災害の発生を未然に防止する。
紙面１の右下角部にはコーナーシールｌ４を設けている。コーナーシール１４は直角２等辺３角形状のコーナーシール本体１４ａの頂部にチップ部１４ｂを備え、表裏面に微小な凹凸を設け、手指の滑り止め作用をなし、紙面１の捲りを良好にするようにする。チップ部１４ｂはコーナーシール本体１４ａに対して同一平面上にあるか、若しくは図４に示すように、チップ部１４ｂの基部を上方に折り、チップ部１４ｂをコーナーシール本体１４ａに対して傾斜角度５〜４５°の角度を有して上傾させ、指先運動の能力に障害のない者、指先運動能力軽度障害者、指先運動能力重度障害者等が夫々使用者の指先運動能力に応じて紙面１を捲り易くするようにしている。
そして、図３に示すように上記構成の生活記録用カレンダーは、挟圧片１５を備えた画板１６に取り付けて使用する方法が考えられる。詳しくは、画板１６上に紙面１を載置し、紙面１の左端略中央位置を挟圧片１５のバネの復元力で画板１６に取り付け、画板１６を下敷として使用者が紙面１内に所望事項を記入して使用するものである。この使用方法で、紙面１を捲る場合、指先運動能力に障害のない者は、コーナーシール本体１４ａの表面に指腹を当接しコーナーシール本体１４ａに対し、紙面１の内側中央方向に力を作用させ、紙面１の中央を上方に彎曲させて紙面１を捲る。指先運動能力に障害のある者は、図４に示すチップ部１４ｂが上傾したコーナーシール１４を設けたカレンダーを使用する。つまり、指先運動能力軽度障害者は図４に示す上傾しているチップ部１４ｂを抓み、紙面１を捲る。指先運動能力重度障害者は、図４に示す上傾しているチップ部１４ｂの裏面側から手を画板１６の表面と紙面１の裏面との間に差し入れ、手全体で紙面１を持ち上げて紙面１を捲ることができる。
又、単一の紙面を画板に着脱自在に取着して使用することが可能なため足が不自由な高齢者であっても、横臥状態や上半身を起こした状態で使用でき、身体に負担をかけることなく、長期に亘って飽きることなく使用できる。
【実施例２】
【０００７】  図５及び図６に示される実施例２について説明する。枠欄４の下部には、枠欄４の横幅に対応した横幅を有する紙片１７を剥離可能に貼着している。紙片１７は表面に確認事項を表示し、裏面には上端に上端縁に沿って接着剤１８を塗着し、枠欄４の下部において横仕切線３と紙片１７の上端縁が平行な位置関係となるように貼着している。紙片１７は縦方向の中途位置で表側に折り返し、下端縁の表面には、裏面の上端縁に塗布した接着剤１８よりも薄く接着剤１９を塗着し、紙片１７の表面側下端縁と表面上端縁は接着剤１９により接着され、剥離可能に閉じられている。このように紙片１７は、紙面１より剥離若しくは展開、折り畳み自在に形成されているので、前記実施例１のように枠欄４に確認事項表示欄１２を設ける必要性が無く、書き込み用空欄１１の面積が広くなり、視力の低下した高齢者が太線の筆記具で大きく文字等を記載するのに対応できる。又、接着剤１９の塗着量は、接着剤１８の塗着量より少なくしているので、紙片１７を紙面１より剥離することなく、僅かな力で紙片１７を展開することができる。又、紙片１７を紙面１より剥離可能に形成しているので、紙片１７を紙面１より剥離し、紙片１７を見ながら確認行動を行えば全ての確認事項を忘れることなく、全てを完全に確認することができる。紙面１の右下角部には、直角２等辺３角形状のコーナーシール１４を取り付けている。紙面１の枠欄４の外側には発光塗料で注意を喚起する表示１３を記している。
尚、実施例２では紙片１７を紙面１に剥離可能に貼着し、紙片１７の上下端縁を剥離可能に貼着した場合を例に説明したが、本願発明はこれに限定せず、紙片１７の上端縁を紙面１に接着し、紙片１７を表側に折り畳んで閉じ、紙片１７の下端縁と平行にミシン目状の切り取り線を設けて、紙片１７を展開することも本願発明に包含される。尚、紙片１７は、その日が経過すれば破棄しても問題がないため紙片１７が被さっていた１週間後の枠欄４を使用する場合には全く支障をきたさない。
【産業上の利用可能性】
【０００８】  本願発明は、各欄の記載内容を変化させることで、育児用カレンダー、学習用カレンダーとして利用することが可能である。
【図面の簡単な説明】
【０００９】
【図１】生活記録用カレンダーの表面図である。（実施例１）
【図２】枠欄とコーナーシールを示す一部切欠拡大表面図である。（実施例１）
【図３】使用状態を示す説明図である。（実施例１）
【図４】コーナーシールにおいて、コーナーシール本体に対するチップ部の上傾状態を示す説明図である。（実施例１）
【図５】生活記録用カレンダーの斜視図である。（実施例２）
【図６】枠欄の下部に取り付けた紙片を展開した状態を示す説明図である。（実施例２）
【符号の説明】
【００１０】１  紙面
２  縦仕切線
３  横仕切線
４、４１  枠欄
５  日及び日の吉兆欄
７  薬の服用チェック欄
１１  書き込み用空欄
１２  確認事項表示欄
１３  注意を喚起する表示
１４  コーナーシール
１７  紙片
【図１】
2005059570.tif 000003
【図２】
2005059570.tif 000004
【図３】
2005059570.tif 000005
【図４】
2005059570.tif 000006
【図５】
2005059570.tif 000007
【図６】
2005059570.tif 000008